(57)【要約】      （修正有）【課題】小区画の茶園などで、畝の先端で旋回しない往復作業であっても、前進と後退の両方で散布ができる粉粒物散布機を提供する。【解決手段】茶樹や作物の畝を跨いで走行できる高床式走行台車１に搭載される粉粒物タンク４と、この粉粒物タンク４の下部にある１個または数個の粉粒物繰出機構６と、この粉粒物繰出機構６からの粉粒物を粉粒物繰出機構６の数に見合う数の噴頭１０ｂにそれぞれ搬送するファン８と、前記粉粒物繰出機構６に接続される基端側１０ａを旋回軸として噴頭１０ｂのある先端側が進行方向に対して左右に旋回できる構造の旋回噴口１０と、この旋回噴口１０の先端側にある噴頭１０ｂを常時下向きになるように接続する回転部１２とを備えた。本発明の粉粒物散布機によれば、作業時間（走行距離）に対して１００％の散布作業効果が得られ、本機の畝の先端での旋回がなくなる分その旋回回数が少なくなって安全な作業が確保できる。【選択図】  図１
2006304608.tif 000002
【特許請求の範囲】
【請求項１】
茶樹や作物の畝を跨いで走行できる高床式走行台車を備えたものであって、前記走行台車に搭載される粉粒物タンクと、この粉粒物タンクの下部にある１個または数個の粉粒物繰出機構と、この粉粒物繰出機構からの粉粒物を粉粒物繰出機構の数に見合う数の噴頭にそれぞれ搬送するファンと、前記粉粒物繰出機構側に噴口回転部により接続される基端側を旋回軸として前記噴頭のある先端側が進行方向に対して左右に旋回できる構造の旋回噴口と、この旋回噴口にあってその先端側の噴頭を常時下向きにする噴頭回転部とを備えたことを特徴とする粉粒物散布機。
【請求項２】
進行方向に対して左右にスライドできる構造のスライド噴口を備え、このスライド噴口のスライドによりその先端側の噴頭を進行方向に対して左右に位置変換させるようにしたことを特徴とする請求項１記載の粉粒物散布機。
【発明の詳細な説明】
【技術分野】
【０００１】
本発明は、茶樹や作物の畝を跨いで走行して、肥料等の粉粒物を畝や畝間に散布するための粉粒物散布機に関するものである。
【背景技術】
【０００２】
この種の粉粒物散布機は、茶樹や作物の畝を跨いで走行するために高床式走行台車になっている。
【０００３】
従来、小区画の茶園などにおいて、この種の高床式走行台車型の粉粒物散布機で肥料などを畝や畝間に散布するとき、茶園の枕地（畝の先端）で本機の旋回するＵターンスペースがないために、畝の先端では旋回できない往復作業（前進して畝の先端に到着すると、同じ畝をそのまま後退して戻る）により肥料を散布している。
その際、本機の噴口が前進時と後退時の両方で同じ畝や畝間にあるために、前進時か後退時の一方向のみで散布を行っている。
【発明の開示】
【発明が解決しようとする課題】
【０００４】
本発明の解決しようとする問題は、従来のこの種の粉粒物散布機では以上のように前進後退の往復作業の一方向が遊び走行（散布できない走行）となるために、散布作業効率が悪く、作業時間（走行距離）に対して散布効果が半減するという点である。
【課題を解決するための手段】
【０００５】
本発明の粉粒物散布機は、茶樹や作物の畝を跨いで走行できる高床式走行台車を備えたものであって、前記走行台車に搭載される粉粒物タンクと、この粉粒物タンクの下部にある１個または数個の粉粒物繰出機構と、この粉粒物繰出機構からの粉粒物を粉粒物繰出機構の数に見合う数の噴頭にそれぞれ搬送するファンと、前記粉粒物繰出機構側に噴口回転部により接続される基端側を旋回軸として前記噴頭のある先端側が進行方向に対して左右に旋回できる構造の旋回噴口と、この旋回噴口にあってその先端側の噴頭を常時下向きにする噴頭回転部とを備えたことを特徴とする。
【発明の効果】
【０００６】
本発明は、旋回噴口を進行方向に対して左右に旋回させることにより、小区画の茶園などで畝の先端で旋回できない往復作業でも前進時と後退時の両方で往復散布ができるようになるので、作業時間（走行距離）に対して１００％の散布作業効果が得られるし、本機の畝の先端での旋回がなくなる分その旋回回数が少なくなって安全な作業が確保できるという効果がある。
【発明を実施するための最良の形態】
【０００７】
本発明の粉粒物散布機は、高床式走行台車で茶樹や作物の畝を跨いで走行して、その旋回噴口を行きと帰りで進行方向に対して左右に旋回させることにより、小区画の茶園などで畝の先端で旋回しない往復作業でも前進時と後退時の両方で往復散布ができるようになることで、上述の効果を実現した。
【実施例１】
【０００８】
本発明の一実施例を図１〜図４を用いて説明する。図１は散布機全体を示す側面図、図２は図１を正面からみた図、図３は図２の旋回噴口の付近を上からみた図、図４は作業状態を説明するための図である。
【０００９】
図において、１は四輪車２の高床式走行台車、３は四輪車２を駆動する搭載エンジン、４は走行台車１上に枠体５により設置した粉粒物タンク、６は粉粒物タンク４の下部に装備されかつその繰出ロータ（図示せず）がエンジン３により駆動される２個の粉粒物繰出機構、７は各粉粒物繰出機構６の出口にそれぞれ接続した固定管、８はエンジン３により駆動されるファン、９はファン８の送風を各固定管７にそれぞれ送るための送風管、１０は各固定管７にそれぞれ噴口回転部１１により接続されてその基端側１０ａを旋回軸として先端側の噴頭１０ｂが進行方向に対して左右に旋回できる構造（上方に１８０度旋回する）の旋回噴口、１２は旋回噴口１０にあってその先端側の噴頭１０ｂを常時下向きにする噴頭回転部、１３は旋回噴口１０の中ほどにあって長手方向に伸縮する構造の伸縮機構部である。
【００１０】
小区画の茶園では、図４に示すように農道１４に対して多数の畝１５が配設されており、しかもこの畝１５は先端１５ａで塞がって枕地が狭いので、この畝の先端１５ａには本機が旋回するだけのＵターンスペースがない。
【００１１】
このような小区画の茶園においては、例えば本機を畝間Ｂ，Ｃに入れて、各粉粒物繰出機構６により繰り出される粉粒物を送風によって各固定管７から旋回噴口１０をそれぞれ通してその噴頭１０ｂから散布するので、前進しながら粉粒物を畝間Ａ，Ｂに散布することができる。
【００１２】
そして、畝の先端１５ａに達すると、各旋回噴口１０を進行方向に対して上方に１８０度旋回させて図４に示すように走行台車１に対して右側から左側に旋回させ、今度はそのまま同じ畝間Ｂ，Ｃを後退する。よって、各噴頭１０ｂからの粉粒物を、後退しながら前進時とは異なる畝間Ｃ，Ｄに散布することができる。
【００１３】
このように本機を同じ畝間Ｂ，Ｃを一往復させることにより、４本の畝間Ａ〜Ｄに一気に粉粒物を散布できるようになる。よって、小区画の茶園などで畝の先端１５ａで旋回できない往復作業でも往復作業の前進時と後退時の両方で散布できるようになるので、作業時間（走行距離）に対して１００％の散布作業効果が得られるし、本機の畝の先端１５ａでの旋回がなくなる分その旋回回数が少なくなって安全な作業が確保できる。
【００１４】
その際の旋回噴口１０の旋回に対しては、噴頭１０ｂが噴頭回転部１２によって常時下向きになるので、前進後退時の旋回噴口１０の向き（位置）や傾斜地走行のときとかに関係なく、茶樹や作物に対して噴頭１０ｂが正対して常時一定の散布（量）が行える。
【００１５】
また、現実的な問題として畝１５と畝１５との間隔が多少変化するが、かかる場合には伸縮機構部１３により旋回噴口１０の長さを調節して噴頭１０ｂが丁度畝間Ａ，Ｂに合うようにすれば、精度の高い畝間散布（または畝散布）が効果的に行える。
【００１６】
本実施例のように粉粒物繰出機構６を２個としてそれぞれに旋回噴口１０を装備しておくと、２個の噴頭１０ｂからの同時散布ができるので、一往復で４本の畝間散布ができてその散布域が広がると共に、また一旋回噴口１０に対して一粉粒物繰出機構６となるので各噴頭１０ｂにおいて吐出量が一定になって散布量の定量化が図れる。なお、この粉粒物繰出機構６の数は、１個でも良いし、２個以上であっても良いは勿論である。
【実施例２】
【００１７】
本実施例は、上記実施例１における旋回噴口１０の変形例を示すもので、図５に示すように長い固定管７Ａを有すると共に、その先で両者が交差しないで進行方向に対して上方に１８０度旋回する旋回噴口１０Ａとしたものである。
【実施例３】
【００１８】
上記実施例１，２では旋回噴口１０，１０Ａが進行方向に対して上方に１８０度旋回することによりその先端側の噴頭１０ｂが左右に位置変換するものを示したが、旋回噴口１０，１０Ａに変えて図６に示すように可撓性のあるスライド噴口１６として、これを実線の位置から点線の位置にスライドさせることにより、その先端側の噴頭１０ｂの位置を進行方向に対して左右に位置変換させるようにしても良い。
【産業上の利用可能性】
【００１９】
本発明は、茶樹や作物の畝を跨いで走行して、肥料等の粉粒物を畝や畝間に散布するための粉粒物散布機に広く活用できる。
【図面の簡単な説明】
【００２０】
【図１】本発明の実施例１を示すもので、散布機全体を示す側面図である。
【図２】図１を正面からみた図である。
【図３】図２の旋回噴口の付近を上からみた図である。
【図４】作業状態を説明するための図である。
【図５】本発明の実施例２を示すもので、旋回噴口の付近を上からみた図である。
【図６】本発明の実施例３を示すもので、スライド噴口の付近を上からみた図である。
【符号の説明】
【００２１】
１：高床式走行台車
２：四輪車
３：エンジン
４：粉粒物タンク
６：粉粒物繰出機構
７：固定管
７Ａ：固定管
８：ファン
１０：旋回噴口
１０Ａ：旋回噴口
１０ａ：旋回噴口の基端側
１０ｂ：旋回噴口の噴頭
１１：噴口回転部
１２：噴頭回転部
１３：伸縮機構部
１４：農道
１５：畝
１５ａ：畝の先端
１６：スライド噴口
【図１】
2006304608.tif 000003
【図２】
2006304608.tif 000004
【図３】
2006304608.tif 000005
【図４】
2006304608.tif 000006
【図５】
2006304608.tif 000007
【図６】
2006304608.tif 000008